(57)【要約】【課題】軽量で安全性が高く、非使用時には小さく畳むことができ、幼児が持ったときの手触り感も両親の腕を掴んだ時のような感覚となる簡易水テッポウを提供すること。【解決手段】２枚の軟質合成樹脂シート１１を部分的に溶着することにより、互いに連通した複数の空気室１２が形成されるとともに、これら２枚の軟質合成樹脂シート１１の両端縁を互いに突き合わせて溶着することにより筒状に形成した本体部１３と、この本体部１３の上下両開口１３ａ・１３ｂをそれぞれ塞ぐ上下の形状維持板１４と、下側の形状維持板１４に形成した吸水口１４ａ、及びこの吸水口１４ａの内側で開閉自在となる逆止弁１４ｂと、上側の形状維持板１４に設けられて、本体部１３を掴んだ時の内圧によって、当該本体部１３内の水を吐出する吐水口１５と、を備えた簡易水テッポウ。【選択図】図３
2019092901.tif 000002
【特許請求の範囲】
【請求項１】
簡易水テッポウであって、
２枚の軟質合成樹脂シートを部分的に溶着することにより互いに連通した複数の空気室が形成されるとともに、これら２枚の軟質合成樹脂シートの両端縁が連結されて筒状をなす本体部と、
この本体部の上下両開口をそれぞれ塞ぐ上下の形状維持板と、
下側の形状維持板に形成した吸水口、及びこの吸水口の内側で開閉自在となる逆止弁と、
上側の前記形状維持板に設けられて、前記本体部を掴んだ時の内圧によって、当該本体部内の水を吐出する吐水口と、  
を備えたことを特徴とする簡易水テッポウ。
【請求項２】
前記本体部の下部周囲に、別の軟質合成樹脂シートによって形成した浮き台座を一体化して、この浮き台座の下面が前記吸水口より下方となるようにしたことを特徴とする請求項１に記載の簡易水テッポウ。
【発明の詳細な説明】
【技術分野】
【０００１】
本発明は、簡易水テッポウに関し、主として幼児がお風呂やプール（特に、軟質合成樹脂製の簡易プール）で水遊びをするために使用する簡易水テッポウに関するものである。
【背景技術】
【０００２】
幼児をお風呂に入れる際や、プールで遊ばせる際に、幼児自らの意志と力で遊べるおもちゃがあると、幼児の生育や精神の発達に役に立つだけでなく、保護者が世話を焼く手間が省けることもある。このようなおもちゃでは、当然のことながら、
・幼児でも自ら使用できること
・安全性が十分であること
・そして、幼児が興味を持てること
が必要である。
【０００３】
このようなお風呂やプールにおいて使用されるおもちゃとしては、上記の必要性を加味しながら、特許文献１〜特許文献３において、既に種々なものが多く提案されてきており、それぞれ所期の目的を達成していると考えられる。
【先行技術文献】
【特許文献】
【０００４】
【特許文献１】実開平５−１１９９７号公報
【特許文献２】実公平３−３４２３２号公報
【特許文献３】特許第５８８３５３４号掲載公報
【発明の概要】
【発明が解決しようとする課題】
【０００５】
特許文献１には、「動きのともなう変化のある面白い遊びを楽しむことを可能とする」ことを目的とした「水を飛ばすことができる玩具」が提案されており、この「水を飛ばすことができる玩具」は、本願の図６に示すように、「動物を模して形成された玩具本体１に水圧によつて動作する動作部６を設けるとともに、該動作部６の近傍には動作部６を動作させるための水噴出部３と該水噴出部３とは別の水噴出部４とが設けられ且つこれらの水噴出部３、４はポンプ２に接続されている」という構成を有している。
【０００６】
この特許文献１の「水を飛ばすことができる玩具」は、ポンプを押すとワニが口を開いて水を飛ばすことが出来るから、幼児が面白がって遊ぶであろうことが容易に想像できる。しかしながら、この玩具は、ワニを模した「玩具本体」が硬質なものと考えられるため、誤って踏みつけたり腰を下ろしたりすると、痛みを与えることになるだけでなく、動物を模した構造にするためにコストが掛かり、小さくすることも出来ないと考えられる。
【０００７】
特許文献２には、「軽くて、しかも小さく畳むことができ、持ち運びに便利であり、使用時には大きくすることができ、ぶつかっても怪我をすることのない安全なシャワーおもちゃを提供すること」を目的とした「シャワーおもちゃ」が提案されており、この「シャワーおもちゃ」は、本願の図７に示すように、「軟質材料を使用して中空に形成し、内部の隔膜によって上室と下室の２室を形成し、上室には空気を供給あるいは排出するための栓付き口を形成し、上室頂部にはシャワー噴出口を形成し、上室下部には水供給口を形成し、シャワー噴出口と水供給口との間には上室内部にホースを配設し、下室には水を供給あるいは排出するための栓付き口を形成した」ものである。
【０００８】
しかしながら、この特許文献２の「シャワーおもちゃ」では、「水供給口に水道の蛇口からのホースを連結し、水を供給すると、水は水供給口から入り、ホースを経て、シャワー噴出口からシャワーとなって噴出する」ものであるから、水道と、これに連結されるべきホースとが必要となり、これらがない場所では使用することができないものとなっている。
【０００９】
特許文献３の「幼児用シャワー遊具」は、本件出願人が提案したものであるが、「構造が簡単で操作し易く、保護者が常時傍についていなくても、幼児が自分の思い通り十分遊べる幼児用シャワー遊具を提供すること」を目的としてなされたものである。そして、この特許文献３の「幼児用シャワー遊具」は、本願の図８に示すように、「簡易水中ポンプ１０を、水底に設置されるベース１１と、このベース１１上に取り付けられて、ポンプ室１２ａを構成するポンプ本体１２と、このポンプ本体１２の天板部１３内側に取り付けられて、天板部１３に形成した出入穴１３ａの開閉を行う弁体１４と、水中になっている天板部１３を上動させる上動部材１５とを備えたものとした」ものである。
【００１０】
この特許文献３の「幼児用シャワー遊具」は、お風呂やプール内に沈めたポンプを単に手で押すことによりシャワー水を吐出するものであるから、堅い部分がないことから幼児が痛みを感じる場面がないだけでなく、水道も必要がないことから、何処でも安全に遊べる遊具となっている。
【００１１】
しかしながら、この特許文献３の「幼児用シャワー遊具」は、お風呂やプール内に沈めたポンプを手で押すことによりシャワー水を吐出するものであることから、年端のいかない１才〜３才程度の幼児だと、使用が難しいことがあるかも知れない。
【００１２】
そこで、本発明者等は、年端のいかない幼児であっても十分楽しめて安全性も高く、非使用時には小さく畳むことができて始末もよいし、幼児が持ったときの手触り感も両親の腕を掴んだ時のような感覚となるような簡易水テッポウとするにはどうしたらよいか、について種々検討を重ねてきた結果、本発明を完成したのである。
【００１３】
すなわち、本発明の目的とするところは、年端のいかない幼児であっても自ら持つことができて十分楽むことができ（軽量性）、安全性も高く（安全性）、非使用時には小さく畳むことができて始末もよいし（コンパクト化）、幼児が持ったときの手触り感も両親の腕を掴んだ時のような感覚となる（良好な手触り感）ような簡易水テッポウを、簡単な構造によって提供することにある。
【課題を解決するための手段】
【００１４】
以上の課題を解決するために、まず、請求項１に係る発明の採った手段は、後述する最良形態の説明中で使用する符号を付して説明すると、
「簡易水テッポウ１０であって、
２枚の軟質合成樹脂シート１１を部分的に溶着することにより互いに連通した複数の空気室１２が形成されるとともに、これら２枚の軟質合成樹脂シート１１の両端縁が連結されて筒状をなす本体部１３と、
この本体部１３の上下両開口１３ａ・１３ｂをそれぞれ塞ぐ上下の形状維持板１４と、
下側の形状維持板１４に形成した吸水口１４ａ、及びこの吸水口１４ａの内側で開閉自在となる逆止弁１４ｂと、
上側の形状維持板１４に設けられて、本体部１３を掴んだ時の内圧によって、当該本体部１３内の水を吐出する吐水口１５と、
を備えたことを特徴とする簡易水テッポウ１０。」
である。
【００１５】
以上のように構成した請求項１に係る簡易水テッポウ１０は、図１に示すように、幼児がお風呂またはプール内に持ち込んで使用するものであり、主として、その本体部１３を手で掴んで絞る操作を繰り返すことにより、当該簡易水テッポウ１０から水を噴射させて遊ぶことに使用するものである。この場合、当該簡易水テッポウ１０の重要機能は、軽量性、安全性、コンパクト化、そして、良好な手触り感である。
【００１６】
（軽量性）
当該簡易水テッポウ１０は、主として、２枚の軟質合成樹脂シート１１と、これを筒状にしたときにできる２つの開口１３ａ・１３ｂを閉じる２枚の形状維持板１４とで形成されているのであるから、総重量は以下に説明する実施形態の場合、６０ｇ（グラム）前後となって、幼児でも十分持ち上げることができるものである。勿論、この簡易水テッポウ１０を使用する際には、２枚の軟質合成樹脂シート１１間に形成してある各空気室１２内に、実施形態で説明する空気栓１７等を使用して空気を充填して、例えば図２に示すような形状のものとするものであるため、２枚の軟質合成樹脂シート１１間は勿論、これら軟質合成樹脂シート１１によって構成された本体部１３内部にも空気が充填されるから、お風呂の湯等に十分浮くものとなる。なお、使用によって本体部１３内には水が充填されるが、各空気室１２内の空気によって当該簡易水テッポウ１０は十分水に浮く（浮上性の確保）。
【００１７】
（安全性）
当該簡易水テッポウ１０の本体部１３は、軟質合成樹脂シート１１を材料にして形成したものであり、また、使用時には各空気室１２内に空気が充填されるのであるから、丁度「ビニール製浮き輪」のように柔らかく、安全性が高いものとなっている。勿論、比較的薄くて堅い逆止弁１４ｂは、下側形状維持板１４の吸水口１４ａ内方に配置してあるから、幼児の手や身体に直接触れることはない。なお、各形状維持板１４や、吐水口１５も比較的軟質な合成樹脂材料によって形成してあるから、安全性が高いものとなっている。
【００１８】
（コンパクト化）
この簡易水テッポウ１０の使用後には、空気栓１７から各空気室１２内の空気を抜けば、筒状になっていた本体部１３を潰すことができるため、小さく折り畳むこと、つまりコンパクト化ができる。この場合、各軟質合成樹脂シート１１は、文字通り軟質であるから、本体部１３の各開口１３ａ・１３ｂに連結されていた各形状維持板１４も折り畳まれた各軟質合成樹脂シート１１に沿わせることが出来るため、結果的に、簡易水テッポウ１０全体をほぼ平らなものにコンパクト化できることになる。
【００１９】
（良好な手触り感）
使用する際の本体部１３は、各空気室１２に空気を充填するものであり、これにより、各空気室１２を構成している外側の軟質合成樹脂シート１１表面には、例えば図２に示すように、凹凸ができる。これら各空気室１２表面にできる凹凸は、軟質合成樹脂シート１１と内部の空気とによって形成されるものであるから、手に馴染む柔らかさを有していて、両親の腕を掴んだ時のような感覚となる。それだけで無く、これらの凹凸は、幼児の指の引っ掛かりともなるから、使用時の簡易水テッポウ１０の滑り落ちを防止することにもなる。換言すれば、この簡易水テッポウ１０は、特に使用時において、幼児が安心して遊べる良好な感触を有するものなのである。
【００２０】
さて、この簡易水テッポウ１０で幼児が遊ぶのには、上述したように、本体部１３に設けてある空気栓１７等を使用して、両軟質合成樹脂シート１１間の各空気室１２内に空気を充填する。そうすると、各軟質合成樹脂シート１１間の空気室１２が膨んで中に入った空気の圧力により、本体部１３全体は、図２に示すように、筒状に膨らむから、幼児が図１に示すような状態で掴むことができるものとなる。勿論、この状態の簡易水テッポウ１０は、上述したように、水や湯に浮くものとなっている。
【００２１】
ここで、吐水口１５が図１に示すような上側となるようにしながら本体部１３を水内に浸けて、幼児が本体部１３の外周を掴んで絞ると、本体部１３内の空気圧が高まるから、下側の形状維持板１４に設けてある逆止弁１４ｂは確実に閉じられ、かつ本体部１３内の空気は吐水口１５から排出される。上側の形状維持板１４に設けた吐水口１５には、下側の形状維持板１４のような逆止弁１４ｂは設けていないからである。次いで、掴んでいた手を緩めると、逃げ場のない各空気室１２内に空気を閉じ込めている本体部１３の弾性復帰力により、この本体部１３は、筒状に戻るから、本体部１３内が負圧となる。この際には、上方の吐水口１５から外気が本体部１３内に入り込むことがあるが、それよりも当該簡易水テッポウ１０の本体部１３が水中にあることによって水圧が逆止弁１４ｂに掛かってこれを開くことになり、お風呂の湯等が本体部１３内に吸引される。
【００２２】
以上の絞り操作や開放操作を繰り返せば、本体部１３内には十分な湯等が吸引され、最終的（絞りと開放を３回〜５回程度繰り返した後）には、本体部１３内に吸引された湯等が上方の吐水口１５から吐出されて、水テッポウとなるのである。
【００２３】
そして、幼児がこの簡易水テッポウ１０で自ら遊んでくれていれば、当該幼児をお風呂に入れた保護者は幼児の世話をする必要がなくなるから、自らの洗髪や身体洗いができることになる。勿論、洗い桶内の湯で当該簡易水テッポウ１０を使用させれば、保護者が幼児の洗髪や身体洗いを支障なく行えることにもなる。
【００２４】
従って、この請求項１に係る簡易水テッポウ１０は、年端のいかない幼児であっても自ら持つことができて十分楽むことができ（軽量性）、安全性も高く（安全性）、非使用時には小さく畳むことができて始末もよいし（コンパクト化）、幼児が持ったときの手触り感も両親の腕を掴んだ時のような感覚となる（良好な手触り感）ものとなっているのである。
【００２５】
上記課題を解決するために、請求項２に係る発明の採った手段は、請求項１に記載の簡易水テッポウ１０について、
「本体部１３の下部周囲に、別の軟質合成樹脂シートによって形成した浮き台座１６を一体化して、この浮き台座１６の下面が吸水口１４ａより下方となるようにしたこと」
である。
【００２６】
この請求項２に係る簡易水テッポウ１０は、上記請求項１に係る簡易水テッポウ１０の下部に、図１の左側、図４、及び図５に示すように、別の軟質合成樹脂シートによって形成した浮き台座１６を一体化したものであり、浮き台座１６の浮力によって全体を水面上に浮かせることができるようにしたものである。
【００２７】
この浮き台座１６は、軟質合成樹脂シートによって形成したものであり、言わば「ビニール製の浮き輪」のようなものであるから、図１の左側にて示すように、当該簡易水テッポウ１０を水に浮かんだ船のようにすることができるのであり、かつ吸水口１４ａが常に上になるようにすることになるものである。また、この浮き台座１６は、実施例で示す空気栓１７等で内部に空気を充填することによって「ビニール製の浮き輪」のようなものとするのであるから、逆に充填した空気を抜けば、小さく折り畳むことができるものである。
【００２８】
また、この浮き台座１６は、その下面が、図５に示すように、吸水口１４ａより下方となるようにしたものであるが、このようにしたのは、本体部１３の絞りや開放を行って内部に湯水を吸引させる作業を確実にするためである。つまり、この浮き台座１６を存在させることにより、当該簡易水テッポウ１０全体を浮き台座１６を下側にして湯水に浮かせることが出来るようになり、湯水の吸引を確実にするためである。
【００２９】
従って、この請求項２に係る簡易水テッポウ１０は、上記請求項１に係る簡易水テッポウ１０と同様に、年端のいかない幼児であっても自ら持つことができて十分楽むことができ（軽量性）、安全性も高く（安全性）、非使用時には小さく畳むことができて始末もよいし（コンパクト化）、幼児が持ったときの手触り感も両親の腕を掴んだ時のような感覚となる（良好な手触り感）ものとなっているのである。
【発明の効果】
【００３０】
以上、説明した通り、本発明においては、
「簡易水テッポウ１０であって、
２枚の軟質合成樹脂シート１１を部分的に溶着することにより互いに連通した複数の空気室１２が形成されるとともに、これら２枚の軟質合成樹脂シート１１の両端縁が連結されて筒状をなす本体部１３と、
この本体部１３の上下両開口１３ａ・１３ｂをそれぞれ塞ぐ上下の形状維持板１４と、
下側の形状維持板１４に形成した吸水口１４ａ、及びこの吸水口１４ａの内側で開閉自在となる逆止弁１４ｂと、
上側の形状維持板１４に設けられて、本体部１３を掴んだ時の内圧によって、当該本体部１３内の水を吐出する吐水口１５と、
を備えたこと」
にその構成上の主たる特徴を有するものであるから、これにより、年端のいかない幼児であっても自ら持つことができて十分楽むことができ（軽量性）、安全性も高く（安全性）、非使用時には小さく畳むことができて始末もよいし（コンパクト化）、幼児が持ったときの手触り感も両親の腕を掴んだ時のような感覚となる（良好な手触り感）ような簡易水テッポウ１０を、簡単な構造によって提供することができるのである。
【図面の簡単な説明】
【００３１】
【図１】本発明に係る簡易水テッポウ１０を幼児が使用している状態を示すお風呂の断面図である。
【図２】請求項１に係る簡易水テッポウ１０の斜視図である。
【図３】同簡易水テッポウ１０の縦断面図である。
【図４】請求項２に係る簡易水テッポウ１０の斜視図である。
【図５】同簡易水テッポウ１０の縦断面図である。
【図６】特許文献１にて提案されている玩具の正面図である。
【図７】特許文献２にて提案されている玩具の正面図である。
【図８】特許文献３にて提案した玩具の概略図である。
【発明を実施するための形態】
【００３２】
以上のように構成した各請求項に係る発明を、図面に示した実施の形態である簡易水テッポウ１０について説明すると、図１には、幼児が使用している請求項１に係る簡易水テッポウ１０（図示右側）と、お風呂の中に浮かばせてある請求項２に係る簡易水テッポウ１０（図示左側）とが示してある。
【００３３】
これらの簡易水テッポウ１０は、その本体部１３に多数形成してある空気室１２内に、図３及び図５に示したような空気栓１７から外気を充填または圧入したことによって、図２〜図５に示したような円筒状となる本体部１３を備えているものである。勿論、この本体部１３の筒状形態は、幼児が両手で掴んで絞り込むことができる程度の大きさ、本実施形態では、直径が６ｃｍ〜１０ｃｍ程度となるようにしてある。
【００３４】
本実施形態の本体部１３は、上下の開口１３ａ・１３ｂにての、後述する各形状維持板１４への溶着代を除いて、縦（高さ）が１７ｃｍ〜２０ｃｍ程度であり、横（筒状となったときの胴回り）が１８ｃｍ〜３０ｃｍ程度の軟質合成樹脂シート１１を２枚用意して重ね、これらの軟質合成樹脂シート１１を、例えば図２及び図４に示したような波形の多数の溶着部１１ａ（本実施形態では横方向に連続した波形であるが、部分的に途切れたものとしてもよい）によって溶着して形成したものである。なお、外側となる軟質合成樹脂シート１１に対しては、予め空気栓１７が溶着される。
【００３５】
２枚の軟質合成樹脂シート１１を互いに溶着する溶着部１１ａは、両軟質合成樹脂シート１１の接合を果たすものであるから基本的には連続するものであると同時に、これらの軟質合成樹脂シート１１間に多数の空気室１２を形成するものでもある。各空気室１２内には１つの空気栓１７から空気を充填若しくは圧入できるようにしなければならないから、各溶着部１１ａは完全に連続するものではない。本実施形態では、図３及び図５に示したように、例えば、本体部１３の縦方向の同一位置にて連通部１１ｂ、つまり溶着しない部分が各溶着部１１ａの途中に少なくとも１カ所は存在するようにしたものである。各連通部１１ｂは、１つの空気栓１７から空気を充填した場合、各溶着部１１ａの間に位置している非溶着部、つまり各空気室１２内の全てに空気の充填が行えるようにするものである。
【００３６】
各溶着部１１ａとしては、上述した両軟質合成樹脂シート１１の接合を果たすこと、両軟質合成樹脂シート１１間に多数の空気室１２を形成すること、そして、溶着しない部分が各溶着部１１ａの途中に少なくとも１カ所は存在するようにすることの各条件を満たせるのであれば、連続する波形に限らず、どのような形状、例えば、本体部１３の縦方向あるいは斜めに並ぶ平行線状のものでも良い。
【００３７】
一方で、各軟質合成樹脂シート１１の材料としては、一般的な浮き袋で採用されているビニールシートや、所謂ＰＶＡシートが適している。当該軟質合成樹脂シート１１によって形成される本体部１３は、幼児が直接手で持って使用する部分となるものであり、柔らかくて尖った箇所が形成されにくく、使用時の安全性確保を容易にするためである。本実施形態では、厚さが０．２０ｍｍ〜０．２５ｍｍ程度のビニールシートを採用している。
【００３８】
これらの軟質合成樹脂シート１１によって形成した本体部１３は、各空気室１２に空気を充填した場合、中に大きな空間を形成することになるが、この空間は、図３及び図５に示したように、図示上側の開口１３ａ及び図示下側の開口１３ｂに略円形の形状維持板１４をそれぞれ気密的に溶着することにより、閉じられている。なお、各形状維持板１４の外面を軟質合成樹脂シート１１と同様な材料によって包み込むことにより、軟質合成樹脂シート１１との溶着が確実に行えるようにしてある。
【００３９】
上側の開口１３ａについては、図３及び図５に示したように、吐水口１５が形成してあり、この吐水口１５から本体部１３内に吸引された湯水を外部に吐出できるようにしてある。なお、実施形態の吐水口１５では、これにシャワーノズル１５ａを取り付けて、シャワー水の吐出も行えるようにしてある。
【００４０】
一方、下側の開口１３ｂに対しては、吸水口１４ａが形成してあり、この吸水口１４ａの内側には逆止弁１４ｂが設けてあって、本体部１３内の内圧が高くなると逆止弁１４ｂが閉じて前述した吐水口１５から空気又は湯水が吐出できるようにしてある。なお、本体部１３が自らの弾力性によって膨らむときには、この逆止弁１４ｂが吸水口１４ａに対して開き、本体部１３内に湯水を吸引できるようになっていることは言うまでもない。
【００４１】
そして、上述した本体部１３は、その各空気室１２内に空気を充填した場合、中が空洞となった筒状となるだけでなく、この筒は、各軟質合成樹脂シート１１の軟質性によって、幼児が両手で掴めば押し潰すことができるものであるし、手を離せば、本体部１３自体の弾性復元作用によって元の筒状に戻る性質を有したものとなっている。つまり、この本体部１３は、以上の形状維持板１４、吸水口１４ａ及び逆止弁１４ｂ、そして吐水口１５を備えたことによって、「ポンプ」の役割を果たすことが出来るものである。
【００４２】
ところで、図４及び図５には、請求項２に係る簡易水テッポウ１０が示してあるが、この請求項２に係る簡易水テッポウ１０は、請求項１のそれについて、本体部１３の下部周囲に、別の軟質合成樹脂シートによって形成した浮き台座１６を一体化して、この浮き台座１６の下面が吸水口１４ａより下方となるようにしたものである。
【００４３】
浮き台座１６は、言わば本体部１３の下部周囲に一体化した「浮き輪」のようなものであり、本体部１３を構成している軟質合成樹脂シート１１と同じ材料によって、図５に示したような断面形状を有する空気室を構成するものである。この浮き台座１６の内側端部は、本体部１３の下部を構成している外側の軟質合成樹脂シート１１に気密的に溶着したものであり、これにより上記空気室を形成する。勿論、この浮き台座１６についても、図５に示したように、本体部１３側に取り付けたのと同様な空気栓１７が取り付けられるのであり、この空気栓１７から当該浮き台座１６内に空気を充填あるいは圧入することによって、図１、図４及び図５に示したように、当該簡易水テッポウ１０全体を浮き上がらせる役目が果たせるようにしてある。
【００４４】
この浮き台座１６の下側面を構成している軟質合成樹脂シートの内端部は、図５に示したように、この浮き台座１６内に空気を充填した際に、その下面が吸水口１４ａより下方となるように、本体部１３の軟質合成樹脂シート１１表面に溶着してある。このようにしたのは、各本体部１３及び浮き台座１６を膨らませて、お風呂の床上等に置いたとき、当該簡易水テッポウ１０がグラグラせずに真っ直ぐ立つようにするだけでなく、濡れた壁に吸い付かせることができるようにするためである。
【符号の説明】
【００４５】
１０    簡易水テッポウ
１１    軟質合成樹脂シート
１１ａ  溶着部
１１ｂ  連通部
１２    空気室
１３    本体部
１３ａ  開口
１３ｂ  開口
１４    形状維持板
１４ａ  吸水口
１４ｂ  逆止弁
１５    吐水口
１５ａ  シャワーノズル
１６    浮き台座
１７    空気栓
【図１】
2019092901.tif 000003
【図２】
2019092901.tif 000004
【図３】
2019092901.tif 000005
【図４】
2019092901.tif 000006
【図５】
2019092901.tif 000007
【図６】
2019092901.tif 000008
【図７】
2019092901.tif 000009
【図８】
2019092901.tif 000010